(57)【要約】【課題】  温度調節された空調風が送風機に導かれるように空調制御を行なう空調制御装置を配設させることで、空調ユニットの構造を変更せずにシート用加熱冷却装置の加熱または冷却の即効性が図れる車両用空調装置を実現する。【解決手段】  空調ユニット２１と別体に構成され、シート３に形成した空気吹出孔３ａに向けて車室内空気を圧送する送風機４１と、この送風機４１により導かれた車室内空気を加熱または冷却する加熱冷却器４２とからなるシート用加熱冷却装置４がシート３内に設けられ、空調ユニット２１は、シート用加熱冷却装置４が冷房運転のときに、フット吹出口３３ａから車室内空気と混合しない程度の緩やかな風速の冷風を送風機４１に導くように構成した。これにより、シート用加熱冷却装置の加熱または冷却の即効性が図れる。【選択図】        図２
2006035952.tif 000002
【特許請求の範囲】
【請求項１】
吸入空気を加熱、冷却する熱交換器（２８、３０）と、前記熱交換器（２８、３０）の空気流れ下流端に形成され、車室内乗員の足元に向けて温度調節された空調風を吹き出すフット吹出口（３３ａ）に連通するフット開口部（３３）とを有して車両のインストルメントパネル内に設置される空調ユニット（２１）を備える車両用空調装置において、
前記空調ユニット（２１）と別体に構成され、シート（３）に形成した空気吹出孔（３ａ）に向けて車室内空気を圧送する送風機（４１）と、前記送風機（４１）により導かれた車室内空気を加熱または冷却する加熱冷却器（４２）とからなるシート用加熱冷却装置（４）が前記シート（３）内に設けられ、
前記空調ユニット（２１）は、前記シート用加熱冷却装置（４）が冷房運転のときに、前記フット吹出口（３３ａ）から車室内空気と混合しない程度の緩やかな風速の冷風を前記送風機（４１）に導くように構成したことを特徴とする車両用空調装置。
【請求項２】
吸入空気を加熱、冷却する熱交換器（２８、３０）と、前記熱交換器（２８、３０）の空気流れ下流端に形成され、車室内後席側乗員の上半身に向けて温度調節された空調風を吹き出す後席用フェイス吹出口（３２ａ）に連通するフェイス開口部（３２）とを有して車両のインストルメントパネル内に設置される空調ユニット（２１）を備える車両用空調装置において、
前記空調ユニット（２１）と別体に構成され、シート（３）に形成した空気吹出孔（３ａ）に向けて車室内空気を圧送する送風機（４１）と、前記送風機（４１）により導かれた車室内空気を加熱または冷却する加熱冷却器（４２）とからなるシート用加熱冷却装置（４）が前記シート（３）内に設けられ、
前記フェイス開口部（３２）と前記後席用フェイス吹出口（３２ａ）とを接続する後席用フェイス吹出口ダクト（３２ｂ）が設けられるとともに、前記後席用フェイス吹出口ダクト（３２ｂ）の中途に前記シート用加熱冷却装置（４）に向けて温度調節された空調風を吹き出す前席用吹出開口部（３２ｃ）および後席用吹出開口部（３２ｄ）が形成され、
前記空調ユニット（２１）は、前記シート用加熱冷却装置（４）が冷房運転のときに、前記前席用吹出開口部（３２ｃ）および前記後席用吹出開口部（３２ｄ）から車室内空気と混合しない程度の緩やかな風速の冷風を前記送風機（４１）に導くように構成したことを特徴とする車両用空調装置。
【請求項３】
前記空調ユニット（２１）には、前記送風機（４１）に導かれる冷風が少なくとも１ｍ／ｓ程度未満の緩やかな風速で前記フット吹出口（３３ａ）もしくは前記前席用吹出開口部（３２ｃ）および前記後席用吹出開口部（３２ｄ）から吹き出すように制御する空調制御手段（３７ａ）を有することを特徴とする請求項１または請求項２に記載の車両用空調装置。
【請求項４】
前記冷風は、車室内の空気温度に対して約５℃以上低いことを特徴とする請求項３に記載の車両用空調装置。
【請求項５】
前記シート用加熱冷却装置（４）を制御するシート空調制御手段（３７ｂ）が設けられ、
前記空調制御手段（３７ａ）は、前記シート用加熱冷却装置（４）の作動情報を入力するように前記シート空調制御手段（３７ｂ）に電気的に接続されていることを特徴とする請求項３に記載の車両用空調装置。
【発明の詳細な説明】
【技術分野】
【０００１】
本発明は、車室内を空調する車両用空調装置に関するものであり、特に、シートに形成された空気吹出孔に向けて加熱、冷却された空調風を吹き出すシート用加熱冷却装置の併設に関する。
【背景技術】
【０００２】
従来、この種の車両用空調装置として、例えば、特許文献１に示すように、シートに形成した空気吹出孔に向けて車室内空気を圧送する送風機と、この送風機により導かれた車室内空気を加熱または冷却する加熱冷却器とからなるシート用加熱冷却装置と、車室内に温度調節された空調風を吹き出す空調ユニットと、この空調ユニットの出口にて空調風の吹出方向を変更する吹出方向変更手段と、送風機の運転信号に基づいて、吹出方向変更手段を介して空調ユニットからの空調風の吹出方向を送風機の吸気口へ指向させる空調制御手段とから構成している。
【０００３】
そして、シート用加熱冷却装置の運転に伴い、コントローラによって吹出方向変更手段を介して空調ユニットからの空調風の吹出方向を送風機の吸気口へ指向させることで、温度調節された空調風を送風機の吸気口へ送ることができ、さらに、この空調風に加熱冷却器を介することでシートの空気吹出孔から急速にかつ十分に加熱または冷却した空調風を吹き出すことができる。つまり、シート空調の即効性が図れる（例えば、特許文献１参照。）。
【特許文献１】特開平１０−２７８５６６号公報
【発明の開示】
【発明が解決しようとする課題】
【０００４】
しかしながら、上記特許文献１によれば、温度調節された空調風を送風機の吸気口へ送るための吹出方向変更手段を設けることで、空調ユニットがシート用加熱冷却装置と併設するための専用品となってしまい、コストアップの要因となる問題がある。さらに、空調ユニットが設置されるインストルメントパネル内への収容空間が大となると、車室内空間が狭められる問題があって望ましくはない。
【０００５】
そこで、本発明の目的は、上記点を鑑みたものであり、温度調節された空調風が送風機に導かれるように空調制御を行なう空調制御装置を配設させることで、空調ユニットの構造を変更せずにシート用加熱冷却装置の加熱または冷却の即効性が図れる車両用空調装置を提供することにある。
【課題を解決するための手段】
【０００６】
上記、目的を達成するために、請求項１ないし請求項５に記載の技術的手段を採用する。すなわち、請求項１に記載の発明では、吸入空気を加熱、冷却する熱交換器（２８、３０）と、この熱交換器（２８、３０）の空気流れ下流端に形成され、車室内乗員の足元に向けて温度調節された空調風を吹き出すフット吹出口（３３ａ）に連通するフット開口部（３３）とを有して車両のインストルメントパネル内に設置される空調ユニット（２１）を備える車両用空調装置において、
空調ユニット（２１）と別体に構成され、シート（３）に形成した空気吹出孔（３ａ）に向けて車室内空気を圧送する送風機（４１）と、この送風機（４１）により導かれた車室内空気を加熱または冷却する加熱冷却器（４２）とからなるシート用加熱冷却装置（４）がシート（３）内に設けられ、空調ユニット（２１）は、シート用加熱冷却装置（４）が冷房運転のときに、フット吹出口（３３ａ）から車室内空気と混合しない程度の緩やかな風速の冷風を送風機（４１）に導くように構成したことを特徴としている。
【０００７】
請求項１に記載の発明によれば、フット吹出口（３３ａ）から吹き出される空調風は従来の車両用空調装置では温風を吹き出すのが一般的であるが、本発明ではフット吹出口（３３ａ）から車室内空気と混合しない程度の緩やかな風速の冷風を送風機（４１）に導くように構成したことにより、周囲の車室内空気温度よりも低い冷風がシート用加熱冷却装置（４）に導かれるので、空気吹出孔（３ａ）から吹き出す空調風を急速に冷却することができる。これにより、空調ユニット（２１）の構造を変更しなくても、シート用加熱冷却装置（４）の冷却の即効性が図れる。
【０００８】
ところで、シート用加熱冷却装置（４）が暖房運転のときは、空調ユニット（２１）の吹出モードがフットモードで作動するため、周囲の車室内空気温度よりも高い温風がシート用加熱冷却装置（４）に導かれるので、空気吹出孔（３ａ）から吹き出す空調風を急速に加熱することができる。これにより、シート用加熱冷却装置（４）の加熱の即効性が図れる。
【０００９】
請求項２に記載の発明では、吸入空気を加熱、冷却する熱交換器（２８、３０）と、この熱交換器（２８、３０）の空気流れ下流端に形成され、車室内後席側乗員の上半身に向けて温度調節された空調風を吹き出す後席用フェイス吹出口（３２ａ）に連通するフェイス開口部（３２）とを有して車両のインストルメントパネル内に設置される空調ユニット（２１）を備える車両用空調装置において、
空調ユニット（２１）と別体に構成され、シート（３）に形成した空気吹出孔（３ａ）に向けて車室内空気を圧送する送風機（４１）と、この送風機（４１）により導かれた車室内空気を加熱または冷却する加熱冷却器（４２）とからなるシート用加熱冷却装置（４）がシート（３）内に設けられ、
フェイス開口部（３２）と後席用フェイス吹出口（３２ａ）とを接続する後席用フェイス吹出口ダクト（３２ｂ）が設けられるとともに、その後席用フェイス吹出口ダクト（３２ｂ）の中途にシート用加熱冷却装置（４）に向けて温度調節された空調風を吹き出す前席用吹出開口部（３２ｃ）および後席用吹出開口部（３２ｄ）が形成され、
空調ユニット（２１）は、シート用加熱冷却装置（４）が冷房運転のときに、前席用吹出開口部（３２ｃ）および後席用吹出開口部（３２ｄ）から車室内空気と混合しない程度の緩やかな風速の冷風を送風機（４１）に導くように構成したことを特徴としている。
【００１０】
請求項２に記載の発明によれば、後席用フェイス吹出口ダクト（３２ｂ）の中途に前席用吹出開口部（３２ｃ）および後席用吹出開口部（３２ｄ）を形成することで、冷房運転のときに、周囲の車室内空気温度よりも低い冷風がシート用加熱冷却装置（４）に導くことが容易にできる。これにより、空調ユニット（２１）の構造を変更しなくても、シート用加熱冷却装置（４）の冷却の即効性が図れる。
【００１１】
請求項３に記載の発明では、空調ユニット（２１）には、送風機（４１）に導かれる冷風が少なくとも１ｍ／ｓ程度未満の緩やかな風速でフット吹出口（３３ａ）もしくは前席用吹出開口部（３２ｃ）および後席用吹出開口部（３２ｄ）から吹き出すように制御する空調制御手段（３７ａ）を有することを特徴としている。
【００１２】
請求項３に記載の発明によれば、発明者らの実験によると、フット吹出口（３３ａ）もしくは前席用吹出開口部（３２ｃ）および後席用吹出開口部（３２ｄ）から吹き出される冷風の風速が１ｍ／ｓ程度未満であれば、乗員に不快感を与えることは少ない。
【００１３】
なお、風速が２ｍ／ｓ程度以上に速くなると周辺の車室内空気と混合してしまい乗員の足元近傍が冷却して上半身よりも低下すると快適性を損ねてしまう。従って、空調ユニット（２１）の構造を変更することなくシート用加熱冷却装置（４）の加熱または冷却の即効性が図れる。
【００１４】
請求項４に記載の発明では、冷風は、車室内の空気温度に対して約５℃以上低いことを特徴としている。請求項４に記載の発明によれば、より具体的には冷風の空気温度が周囲の車室内空気よりも約５℃以上低ければシート用加熱冷却装置（４）の冷却の即効性が図れる。
【００１５】
請求項５に記載の発明では、シート用加熱冷却装置（４）を制御するシート空調制御手段（３７ｂ）が設けられ、空調制御手段（３７ａ）は、シート用加熱冷却装置（４）の作動情報を入力するようにシート空調制御手段（３７ｂ）に電気的に接続されていることを特徴としている。請求項５に記載の発明によれば、シート用加熱冷却装置（４）の作動情報が容易に得られるとともに、空調ユニット（２１）の構造を変更する必要はない。
【００１６】
なお、上記各手段の括弧内の符号は、後述する実施形態の具体的手段との対応関係を示すものである。
【発明を実施するための最良の形態】
【００１７】
（第１実施形態）
以下、本発明の第１実施形態における車両用空調装置を図１ないし図３に基づいて説明する。図１は本発明をシート用加熱冷却装置４に適用させたときの車両用空調装置の全体構成を示す模式図であり、図２は本発明の要部の詳細構成を示す説明図である。また、図３はシート用加熱冷却装置４の車両への搭載形態を示す模式図である。
【００１８】
まず、シート用加熱冷却装置４は、図１および図２に示すように、背当て部３ｃおよび着座部３ｂからなるシート３と、このシート３の下部に形成された空間５に配設された加熱冷却装置４と、この加熱冷却装置４を制御するシート空調制御手段であるシート空調制御装置３７ｂおよびシート空調操作パネル５４とを備えている。
【００１９】
背当て部３ｃは内部に空間５と連通する第１ダクト３ｅが形成されており、その第１ダクト３ｅと連通する空気吹出孔３ａが複数個形成されている。また、着座部３ｂは内部に空間５と連通する第２ダクト３ｄが形成されており、その第２ダクト３ｄと連通する空気吹出孔３ａが複数個形成されている。
【００２０】
また、シート用加熱冷却装置４は送風機４１とペルチェ素子からなる加熱冷却器４２とから構成している。そして、送風機４１はシート３内に車室内空気を導いて加熱冷却器４２を介して空気吹出孔３ａに向けて送風する。加熱冷却器４２は電力を熱に変換する周知の熱電素子であり、第１熱交換部４２ａと第２熱交換部４２ｂとからなるものであり、図示しない直流電源に電気的に接続されている。
【００２１】
そして、第１熱交換部４２ａおよび第２熱交換部４２ｂは、内部に熱電半導体に接続された電極部（図示せず）と外部に多数の放熱、吸熱フィン部とから構成され、電流の流れる方向により送風機４１で導かれた車室内空気を加熱または冷却するものである。
【００２２】
ところで、空間５はシート３外に連通する排気ダクト３ｆが形成されており、この排気ダクト３ｆは上述した第１ダクト３ｅおよび第２ダクト３ｄとの間に図示しない仕切り板により区画している。
【００２３】
つまり、第１熱交換部４２ａで加熱、冷却された空調風と、第２熱交換部４２ｂで加熱、冷却された排気とが混合することのないように形成している。また、本実施形態では、排気ダクト３ｆの下流端を車室内に開口しているが、これに限らず、排気ダクト３ｆの下流端を延長して車室外に排気するように構成しても良い。
【００２４】
また、図中に示す４３は温度センサであって、温度センサ４３は空気吹出孔３ａから吹き出される空調風の吹出温度を検出する。そして、温度センサ４３で検出した温度情報をシート空調制御装置３７ｂに出力するように電気的に接続している。
【００２５】
シート空調制御装置３７ｂは、マイクロコンピュータを主体として構成され、内蔵のＲＯＭ（図示せず）には、予め設定されたシート空調制御プログラムが設けられており、上記温度センサ４３からの温度情報、シート空調操作パネル５４からの操作情報などを入力するように電気的に接続し、温度情報、操作情報および制御情報に基づいて送風機４１と加熱冷却器４２とを制御している。
【００２６】
さらに、シート空調制御装置３７ｂの作動状態を空調制御手段である空調制御装置３７ａに出力するように電気的に接続されている。また、シート空調操作パネル５４は、温風／冷風の切り替え、シート空調運転の開始／停止、ならびに吹出温度の温度調節などの操作を行なうための操作スイッチなどを備え、乗員がシート３に着座した状態で操作できる位置に配設されている。
【００２７】
次に、空調ユニット２１の構成について説明する。送風ダクト２２の上流側には、車室外の空気（外気）を吸入する外気吸込口２３ａ、２３ｂと車室内の空気（内気）を吸入する内気吸入口２４ａ、２４ｂとが設けられ、これら各吸入口２３ａ、２３ｂ、２４ａ、２４ｂから吸入する内外気の混合割合が内外気ドア２５ａ、２５ｂによって切り替えるようになっている。
【００２８】
また、送風ダクト２２内には、送風機２６が設けられ、この送風機２６の下流側に、冷凍サイクル（図示せず）を構成する熱交換器である蒸発器２８、エアミックスドア２９およびエンジン冷却水が循環する熱交換器であるヒータコア３０が設けられている。上記エアミックスドア２９の開度を調節することによって、ヒータコア３０を通過する空気と通過しない空気の混合割合を調節して、空調風の温度を調整するようになっている。
【００２９】
そして、送風ダクト２２の下流側には、車両の前面ガラスに向けて空調風を吹き出すデフロスタ吹出口（図示せず）にダクトを介して接続されるデフロスタ開口部３１と、乗員の上半身に向けて空調風を吹き出すフェイス吹出口（図示せず）にダクトを介して接続されるフェイス開口部３２と、乗員の足元に向け空調風を吹き出すフット吹出口３３ａ（図２参照）に吹出ダクト３３ｂ（図２参照）を介して接続されるフット開口部３３とが設けられ、これら各開口部３１、３２、３３の上流側に、それぞれ制御ドア３４、３５、３６が設けられている。
【００３０】
そして、空調ユニット２１は、図２および図３に示すように、車室内前方のインストルメントパネル（図示せず）内に配置され、加熱冷却装置４は乗員席の各シート３内に配置され、空調制御装置３７ａとシート空調制御装置３７ｂとが電気的に接続するように構成している。図中に示す６１は車両を駆動する車両用駆動装置である車両用エンジンを示している。
【００３１】
なお、図３中に示す吹出ダクト３３ｂは、前席用と後席用とに区分して図示しているが、吹出ダクト３３ｂは一体に構成しており、下流端に後席に着座する乗員の足元に向けて温度調節された空調風を吹き出すフット吹出口３３ａに接続され、吹出ダクト３３ｂの上流側に前席に着座する乗員の足元に向けて温度調節された空調風を吹き出すフット吹出口３３ａに接続されている。また、図中に示す矢印はフット吹出口３３ａから吹き出された空調風がシート用加熱冷却装置４に導かれる風の方向を示している。
【００３２】
次に、以上の構成による空調ユニット２１は空調制御装置３７ａにより制御される。この空調制御装置３７ａは、マイクロコンピュータを主体として構成され、内蔵のＲＯＭ（図示せず）には、予め設定された空調制御プログラムが設けられており、車両の熱負荷を検出するための内気温度センサ３８、外気温度センサ３９、日射量を検出する日射センサ４０から検出した検出信号Ｔｒ、Ｔａｍ、Ｔｓが入力されるとともに、インストルメントパネル内に配設されたエアコン操作パネル４４からの操作信号が入力される。そして、空調制御プログラムを実行することで、空調ユニット２１から車室内に吹き出される空調風の、運転モード、吹出口モード、吹出温度、送風量などが制御される。
【００３３】
また、エアコン操作パネル４４には、図示しないが、空調運転をオン／オフするＡ／Ｃスイッチと、運転モードを自動／手動に切り替えるオートスイッチと、吹出口の切り替えをフェイス、バイレベル、フット、フットデフロスタ、デフロスタのいずれかを手動で切り替える５つの吹出モード切替スイッチと、吸気モードを外気吸入／内気循環に手動で切り替える吸気モード切替スイッチと、送風量を手動で切り替える送風切替スイッチと、空調制御の目標値となる設定温度を手動設定する温度設定スイッチとが設けられている。
【００３４】
オートスイッチは、吹出モード切替スイッチ、吸気モード切替スイッチ、送風切替スイッチの運転モードの切り替えを自動制御させる操作スイッチである。ここで、本発明の要部である空調制御装置３７ａの作用について図２に基づいて説明する。本実施形態の空調制御装置３７ａは、シート用加熱冷却装置４の作動情報を入力するように構成され、シート空調制御装置３７ｂの作動モードが冷房運転のときは、一部の冷風がフット吹出口３３ａから吹き出されるように制御している。
【００３５】
つまり、シート用加熱冷却装置４が冷房運転を開始したときに、図２に示すように、空調ユニット２１のフット吹出口３３ａから車室内空気と混合しない程度の緩やかな風速の冷風を送風機４１に導くようにしている。これにより、シート用加熱冷却装置４に導かれる冷風が加熱冷却器４１にて、さらに冷却することで、シート３の空気吹出孔３ａから急速にかつ十分に冷却された空調風を吹き出すことができるものである。
【００３６】
ここで、緩やかな風速の冷風は、具体的には発明者らが実験により見い出したものであって、冷風の温度が周囲の車室内空気の温度よりも約５℃以上低い冷風であり、少なくとも１ｍ／ｓ程度以下の緩やかな風速でフット吹出口３３ａから吹き出すと、加熱冷却器４１に吸い込み温度の低い空気を導くことができる。
【００３７】
因みに、風速を２ｍ／ｓ程度に速くすると、乗員の足元近傍の車室内空気と混合してしまうことで、乗員の足元が相対的に低めの温度となり快適性を損なう問題がある。これにより、シート用加熱冷却装置４の冷却の即効性が図れる。
【００３８】
なお、温度センサ４３で検出された温度情報が設定温度に達したときは、通常の吹出モード（例えば、フェイスモードまたはバイレベルモード）に切り替えられるようにしている。ここで、冷風の一部がフット吹出口３３ａから吹き出されたが、残りの冷風はフェイス吹出口（図示せず）から吹き出されている。
【００３９】
一方、シート用加熱冷却装置４が暖房運転のときは、空調ユニット２１は通常の吹出モード（例えば、バイレベルモードまたはフットモード）で作動しているため、乗員の足元近傍の車室内空気温度よりも高めの温風がフット吹出口３３ａより吹き出している。これにより、シート用加熱冷却装置４に導かれる温風が加熱冷却器４１にて、さらに加熱することで、シート３の空気吹出孔３ａから急速にかつ十分に加熱された空調風を吹き出すことができる。
【００４０】
以上の第１実施形態による車両用空調装置によれば、フット吹出口３３ａから吹き出される空調風は、従来の車両用空調装置では温風を吹き出すのが一般的であるが、本発明ではシート用加熱冷却装置４が冷房運転のときに、フット吹出口３３ａから車室内空気と混合しない程度の緩やかな風速の冷風を送風機４１に導くように構成したことにより、周囲の車室内空気温度よりも低い冷風がシート用加熱冷却装置４に導かれるので、空気吹出孔３ａから吹き出す空調風を急速に冷却することができる。
【００４１】
これにより、空調ユニット２１の構造を変更しなくても、シート用加熱冷却装置４の冷却の即効性が図れる。ところで、シート用加熱冷却装置４が暖房運転のときは、空調ユニット２１の吹出モードがフットモードで作動するため、周囲の車室内空気温度よりも高い温風がシート用加熱冷却装置４に導かれるので、空気吹出孔３ａから吹き出す空調風を急速に加熱することができる。これにより、シート用加熱冷却装置４の加熱の即効性が図れる。
【００４２】
なお、送風機４１に導かれる冷風が少なくとも１ｍ／ｓ程度未満の緩やかな風速でフット吹出口３３ａから吹き出すように制御することにより、フット吹出口３３ａから吹き出される冷風の風速が１ｍ／ｓ程度未満であれば、乗員に不快感を与えることは少ない。ただ、風速が２ｍ／ｓ程度以上に速くなると周辺の車室内空気と混合してしまい乗員の足元近傍が冷却して上半身よりも低下すると快適性を損ねてしまう。
【００４３】
従って、空調ユニット２１の構造を変更することなくシート用加熱冷却装置４の加熱または冷却の即効性が図れる。さらに、このときの冷風は、車室内の空気温度に対して約５℃以上低ければ、シート用加熱冷却装置４の冷却の即効性が図れる。
【００４４】
また、空調制御手段３７ａは、シート用加熱冷却装置４の作動情報を入力するようにシート空調制御手段３７ｂに電気的に接続されていることにより、シート用加熱冷却装置４の作動情報が容易に得られるとともに、空調ユニット２１の構造を変更する必要はない。
【００４５】
（第２実施形態）
以上の第１実施形態では、空調ユニット２１をシート用加熱冷却装置４が冷房運転のときに、フット吹出口３３ａから冷風の一部を吹き出すように構成したが、これに限らず、図４に示すように、車両に搭載される既設の後席用フェイス吹出ダクト３２ｂを用いて、シート用加熱冷却装置４に冷風が導かれるように構成しても良い。
【００４６】
より具体的には、空調ユニット２１に形成されるフェィス開口部３２と後席に着座する乗員の上半身に温度調節された空調風を吹き出す後席用フェイス吹出口３２ａとを接続する後席用フェイス吹出ダクト３２ｂが設けられている。そして、後席用フェイス吹出ダクト３２ｂの中途に、シート用加熱冷却装置４に向けて空調風を吹き出す前席用吹出開口部３２ｃおよび後席用吹出開口部３２ｄを形成している。
【００４７】
そして、シート用加熱冷却装置４が冷房運転のときは、第１実施形態と同様に、前席用吹出開口部３２ｃおよび後席用吹出開口部３２ｄから車室内空気と混合しない程度の緩やかな風速（例えば、１ｍ／ｓ程度未満）の冷風を送風機４１に導くように制御している。これによれば、周囲の車室内空気温度よりも低い冷風がシート用加熱冷却装置４に導くことが容易にできる。従って、空調ユニット２１の構造を変更しなくても、シート用加熱冷却装置４の冷却の即効性が図れる。
【００４８】
（他の実施形態）
以上の実施形態では、送風機４１をシート３内の空間５内に配設させたが、これに限らず、シート３の近傍に設けても良い。なお、シート用加熱冷却装置４を各乗員席に全てに配設したが、必要に応じて設置しても良い。
【図面の簡単な説明】
【００４９】
【図１】本発明の第１実施形態における車両用空調装置の全体構成を示す模式図である。
【図２】本発明の第１実施形態における発明の要部の詳細構成を示す説明図である。
【図３】本発明の第１実施形態におけるシート用加熱冷却装置４の車両への搭載形態を示す模式図である。
【図４】本発明の第２実施形態における車両用空調装置の全体構成を示す模式図である。
【符号の説明】
【００５０】
３…シート
３ａ…空気吹出孔
４…シート用加熱冷却装置
２１…空調ユニット
２８…蒸発器（熱交換器）
３０…ヒータコア（熱交換器）
３２…フェイス開口部
３２ａ…後席用フェイス吹出口
３２ｂ…後席用フェイス吹出ダクト
３２ｃ…前席用吹出開口部
３２ｄ…後席用吹出開口部
３３…フット開口部
３３ａ…フット吹出口
３７ａ…空調制御装置（空調制御手段）
３７ｂ…シート空調制御装置（シート空調制御手段）
４１…送風機
４２…加熱冷却器
【図１】
2006035952.tif 000003
【図２】
2006035952.tif 000004
【図３】
2006035952.tif 000005
【図４】
2006035952.tif 000006